(57)【特許請求の範囲】
【請求項１】
キースロットを有する主歯車と、シャフトと、ワッシャ積層体を用いたドラグワッシャ機構とを有する釣り用リールにおいて、
前記ドラグワッシャ機構は複数のワッシャを備え、前記複数のワッシャの少なくとも一つは高い摩擦係数を有する摩擦付与材料でつくられており、この少なくとも一つのワッシャは前記主歯車の前記キースロットと係合する前記ワッシャの周縁から延びている耳部を有しており、前記複数のワッシャの少なくとも一つは、ドラグ力を提供するように前記摩擦付与材料でつくられたワッシャと係合するために前記主歯車を通過する前記シャフトとキー係合する金属ワッシャを備えている釣り用リール。
【請求項２】
少なくとも二つの前記摩擦付与材料でつくられたワッシャが前記金属ワッシャと交互になっている請求項１に記載の釣り用リール。
【請求項３】
少なくとも三つの前記摩擦付与材料でつくられたワッシャが前記金属ワッシャと交互になっている請求項１に記載の釣り用リール。
【請求項４】
前記摩擦付与材料は、エポキシなどのバインダ樹脂を有するガラス繊維からなる中央積層部分と、前記摩擦付与材料でつくられたワッシャの半径方向摩擦面を形成している外側積層グラファイト部分とを有する複合材料を備え、前記ガラス繊維の材料は、三層のエポキシ含浸ガラス繊維であり、前記ガラス繊維は、グラファイトの織布の層の間に挟まれており、圧縮されかつ加硫されてドラグ材料を製造する請求項１に記載の釣り用リール。
【請求項５】
前記金属ワッシャはステンレス鋼のワッシャである請求項１に記載の釣り用リール。
【請求項６】
前記ステンレス鋼のワッシャは、直径が約２８．４ｍｍ（約１．１２０インチ）であり、幅が約１．１４ｍｍ（約０．０４５インチ）である請求項５に記載の釣り用リール。
【請求項７】
前記ステンレス鋼のワッシャは、直径が約２８．４ｍｍ（約１．１２０インチ）であり、幅が約１．４０ｍｍ（約０．０５５インチ）である請求項５に記載の釣り用リール。
【請求項８】
前記摩擦付与材料でつくられたワッシャは、半径が約１４．５ｍｍ（約０．５７０インチ）であり、幅が約１．２７ｍｍ（約０．０５０インチ）である請求項４に記載の釣り用リール。
【請求項９】
前記摩擦付与材料でつくられたワッシャは約６０°間隔の耳部を有する請求項４に記載の釣り用リール。
【請求項１０】
前記摩擦付与材料は約０．１４の摩擦係数を有する請求項１に記載の釣り用リール。
【請求項１１】
前記釣り用リールは回転式スプールリールである請求項１に記載の釣り用リール。
【請求項１２】
前記釣り用リールはスピニング固定リールである請求項１に記載の釣り用リール。
【発明の詳細な説明】
【０００１】
【発明の属する技術分野】
本発明は、従来のスピニングリール用ドラグワッシャ機構に関し、とりわけ、異なる材料のドラグワッシャを用いたドラグ装置に関する。
【０００２】
【従来の技術】
従来技術は、周縁突出部がない摩擦材料でつくられたワッシャと交互になっている、周縁突出部を有する金属ワッシャを備えたドラグワッシャ積層体を示している釣り用リールを教唆している。例えば、これらの全てがスピニングタイプの釣り用リールに関する米国特許第４４８８６８９号、同第４７９６８２８号、同第３６８２４１１号、同第５６０３４６５号及び同第４７２８０５４号と、釣り用リール用モータ駆動スプールとクラッチ機構に関する米国特許第２７６０７３６号とを参照する。
【０００３】
従来のリールでは、ドラグは主歯車とギヤスタッドとの間のクラッチとして機能する。ドラグの設定により、ギヤスタッドに関して主歯車を回転させる必要があるトルクを確定する。従来技術のリールにおいて、ドラグは、主歯車のポケットに収納される、交互になっている摩擦材料ワッシャと金属ワッシャからなる。一般的なドラグワッシャ積層体は、摩擦材料のワッシャと、ギヤスタッドにキー止めされた金属ワッシャと、別の摩擦材料のワッシャと、主歯車にキー止めされた金属ワッシャと、第三の摩擦材料のワッシャと、ギヤスタッドにキー止めされた第二の金属ワッシャとからなる。主歯車はギヤスタッドに関して回転する時、三つのドラッグの面は、この回転に抵抗するように作用する。主歯車は、ギヤスタッドにキー止めされた第一ワッシャに関して回転する。ギヤスタッドにキー止めされた第一ワッシャは、主歯車にキー止めされた第一ワッシャに関して回転する。主歯車にキー止めされた第一ワッシャは、ギヤスタッドにキー止めされた第二ワッシャに関して回転する。これらの三つの対は、三つの摩擦材料ワッシャを挟み、有効なドラグ面が三つのみである。
【０００４】
【発明が解決しようとする課題】
したがって、これらのドラグワッシャ機構の性能を向上させることが望ましい。これらの機構の全ては滑り特性を示している。すなわち、従来のドラグワッシャ機構はくっつけられており、ドラグが使用される時に滑った。各摩擦材料ワッシャの一方側のみが、隣接しているワッシャに関して移動させられた。
【０００５】
したがって、本発明の目的は、ドラグワッシャ機構によって発生させるドラグ力を改良し、ドラグ装置の有効性を著しく改良することである。
【０００６】
本発明のさらなる目的は、同じ数のワッシャがドラグワッシャ機構において使用される場合に異なる種類の釣りに合わせるように、ドラグワッシャの配置を変化させることによってドラグ力を変化させる便利な手段を提供することである。
【０００７】
本発明のこれらの及び他の目的は添付図面を参照して以下の記載から明らかになる。
【０００８】
【課題を解決するための手段】
本発明の改良したドラグワッシャ積層体において、摩擦材料のワッシャは、強固な形態に作られている。突出部又は耳部は、主歯車に関して摩擦材料ワッシャを回転させるのを防止するために、主歯車のポケットの周縁付近のスロットにキー止めされている。前述の従来技術のドラグワッシャ積層体と同じ数の構成要素からなるドラグワッシャ積層体は、摩擦材料のワッシャと、ギヤスタッドにキー止めされた金属ワッシャと、第二の摩擦ワッシャと、ギヤスタッドにキー止めされた第二の金属ワッシャと、第三の摩擦材料ワッシャと、ギヤスタッドにキー止めされた第三の金属ワッシャとからなる。この改良した構成では、主歯車がギヤスタッドに関して回転する時、五つのドラグ面がこの回転に抵抗するように作用する。第一の摩擦材料のドラグワッシャの第一の作用面は、ギヤスタッドにキー止めされた第一の金属ワッシャの隣接する面に関して回転する。第一のキー止めされた金属ワッシャの他の面は、第二の摩擦材料のドラグワッシャの隣接する面に関して回転する。第二の摩擦材料のドラグワッシャの他の面は、第二のキー止めされた金属ワッシャの隣接する面に関して回転する。第二のキー止めされた金属ワッシャの他の面は、第三の摩擦材料のワッシャの隣接する面に関して回転する。最後に、第三のキー止めされた金属ワッシャの隣接する面は、第三の摩擦材料のドラグワッシャの隣接する面に関して回転し、五つの有効なドラグ面を生じる。金属ドラグワッシャに隣接している全ての摩擦材料のワッシャは、金属ドラグワッシャに関して回転させられる。
【０００９】
同じドラグワッシャ積層体を改良を改良することにより、固定されたスプールにおいてドラグトルクを向上させることもできる。金属ワッシャの内径は、スプールスタッドシャフトにキー止めされ、摩擦材料のドラグワッシャの外径は、半径方向に延びている周縁にある耳部によってキー止めされている。
【００１０】
このドラグワッシャ積層体は、従来のリールとスピニングリールの両方に使用できる。このドラグワッシャ積層体の利点は、摩擦材料で作られた三つのワッシャを用いた一般的なリールにおいて、ドラグワッシャ積層体に予め定められた垂直力がかかる場合においてドラグトルクが従来技術のドラグワッシャ積層体で得られるよりも６０％以上向上するということである。
【００１１】
改良されたドラグシステムの別の有用で革新的な属性は、期待される釣りの条件に応じてドラグワッシャを配置することができることである。
【００１２】
ワッシャの層を単に最配置することによって、使用者は、０．９〜１．８ｋｇ（２〜４ポンド）の張力（レベル１）についての軽い敏感なドラグ力について一つの作用する摩擦面を得ることができ、その一方で、別の配置により、釣り糸の１．８〜３．６ｋｇ（４〜８ポンド）の張力（レベル３）の中間のドラグ力について複数の作用する摩擦面を提供する。さらに別の配置により、最大の五つの作用する摩擦面が、釣り糸の２．７〜５．４ｋｇ（６〜１２ポンド）の張力（レベル５）の重いドラグについて可能である。図１、２及び３及びプロット５５５のドラグ試験の図４を参照する。
【００１３】
したがって、繊維のワッシャの独特な形状により、使用者が標準の従来技術のスタイルのドラグワッシャ積層体よりもドラグ力を最大６０％向上させることができ、その一方で、使用者は軽い釣り糸を使用する場合にはドラグを減じることができる。
【００１４】
本発明によれば、摩擦材料の両側が使用可能である。これは、耳部の付いたドラグワッシャが摩擦材料で作られているからである。
【００１５】
【発明の実施の形態】
本発明の好適な実施例の主な使用法は、主歯車と回転式スプールリール内のギヤスタッド（図５にはこのリールの一部分が示されている）との間のクラッチを提供することである。このクラッチの部品は、ねじ１２１、玉軸受１２０、ギヤスタッド１３４、軸受保持器１７３、保持ねじ１６３、ラチェットスペーサ１９８、繊維ワイヤ１０４、主歯車１０５、複数の摩擦ドラグワッシャ１８及び複数の金属ドラグワッシャ１６とを備えている。
【００１６】
部品１８が作られている材料は、最も好ましくは、エポキシなどのバインダ樹脂を有するガラス繊維からなる中央の積層部と、外側積層グラファイト（カーボン）部とを有する複合材料でつくられており、半径方向摩擦面全体を形成している。このガラス繊維の組成は、三層のエポキシを含浸させたガラス繊維であり、それらは、グラファイトの織布の層の間に挟まれている。組み合わされたドラグ材料が圧縮されかつ加硫されてドラグ材料を製造する。最終的な厚さは１．２７ｍｍ（０．０５０インチ）±０．１２７ｍｍ（０．００５インチ）であり、ドラグ材料は最も好ましくは０．１４の高い摩擦係数を有する。このドラグ材料は、ドラグワッシャ機構によって及ぼされる力によって耳部２２が崩壊するのを防ぐように、十分な強度がなければならない。好適な寸法のドラグ摩擦ワッシャは図８Ａ、８Ｂ及び８Ｃに示されている。
【００１７】
（ギヤスタッドにキー止めされた）金属ワッシャは３０２ステンレス鋼で作られている。好適な寸法のドラグワッシャが図９Ａ及び９Ｂに示されている。
【００１８】
示されているように、これらのワッシャを互い違いに配置する、すなわち、キー止めされた金属ワッシャ１６が、それらの金属面を耳部をつけられた摩擦ドラグワッシャ１８の摩擦面と接触させることによって本発明の利点が得られる。
【００１９】
この機構を使用することにより、このタイプの装置においてドラグ力を著しく向上させている。図７に描かれた試験結果を参照すると、従来技術のドラグシステムを使用する時の４．４ｋｇ（９．８ポンド）毎回転の傾斜と対比して本発明のドラグワッシャ機構を使用する時の８．６ｋｇ（１９．２ポンド）毎回転の傾斜を示している。両方の試験で使用されているワッシャの直径及び数は同じである。
【００２０】
本発明の別の配置が図１、２及び３に示されている。
【００２１】
図１には、三つの耳部付き摩擦ドラグワッシャが互いに隣接し、三つの金属ワッシャが互いに隣接しており、一つの摩擦ドラグ面のみが一つの金属面と係合している。この配置により、この数のワッシャを使用した場合の最小のドラグ力を提供することができる。
【００２２】
図２に示されている別の配置では、一つの金属ワッシャに関して一つの耳部付き摩擦ドラグワッシャの位置を単に変更することによって、二つの耳部付き摩擦ドラグワッシャが互いに隣接し、かつ二つの金属ワッシャが積層して互いに隣接した配置になる。このように、リール内で同じ空間量積層する場合でも、ドラグワッシャ機構によって実現する摩擦の量を向上させることができる。
【００２３】
レベル５で識別される図３に示されている最後の配置では、ドラグワッシャ積層体は、このタイプの使用のために、最大量の摩擦ドラグ力を提供するように、図５に示された方法で配置されている。
【００２４】
使用者がワッシャを再配置するためにドラグワッシャ機構を離間させなければならない場合でも、使用者はこれらの配置においてドラグ力を調節する柔軟性を有するという点で本発明の性能を実証している。
【００２５】
図６を参照すると、図６は、本発明の別実施例によるドラグワッシャ機構を示しているスピニングリールの一部分の分解斜視図を示している。この機構は、スプール１４の一部分としての歯車２６を有する固定されたスプール１４を有するスプールスタッドシャフト１０を備えている。シャフト１０にキー止めされる金属ワッシャ１６はシャフト１０周りに取り付けられ、主歯車にキー止めされる耳部付き摩擦ドラグワッシャ１８はシャフト１０周りに取り付けられる。シャフトの外側端部上にはドラグ調節ノブ２０がある。耳部付きワッシャは、主歯車２６の耳部用スロット２４と係合する周縁耳部２２を有する。スプールシャフト１０は、金属ワッシャ１６の対向する平坦部３０にキー止めされている直径方向に対向した平坦部２８を有する。ワッシャの配置及び再配置の原理は、以前に記載した従来の回転式スプールリールと関連して使用した原理と同じである。
【図面の簡単な説明】
【図１】回転式スプールリール用のドラグワッシャ装置の分解斜視図を示す。
【図２】異なる配置のワッシャを有する図１の装置を示す。
【図３】異なる配置のワッシャを有する図１の装置を示す。
【図４】図１、２及び３に示されているワッシャを用いて行なわれたドラグ力の試験のグラフである。
【図５】本発明による従来の回転式スプールリール機構の一部分の分解斜視図である。
【図６】本発明の別実施例による従来のスピニングリール機構又は固定されたリール機構の一部分の分解斜視図である。
【図７】本発明の種々のドラグワッシャ機構と対比して従来技術のドラグワッシャ機構を用いた結果を示す試験データの図である。
【図８】好適な寸法の摩擦ドラグワッシャの拡大図である。
【図９】好適な寸法の金属ドラグワッシャの拡大図である。
【符号の説明】
１０…シャフト
１６…金属ワッシャ
１８…摩擦ドラグワッシャ
２２…耳部
２４…スロット
１０５…主歯車
【図１】
0003977610.tif 000002
【図２】
0003977610.tif 000003
【図３】
0003977610.tif 000004
【図４】
0003977610.tif 000005
【図５】
0003977610.tif 000006
【図６】
0003977610.tif 000007
【図７】
0003977610.tif 000008
【図８】
0003977610.tif 000009
【図９】
0003977610.tif 000010